(57)【要約】【課題】既存の靴下を編織する編織機を用いて製作すると共に、アウターソックスの各部位を区分して異なる方式で編織することによって、着用感を向上させ、足からの脱げを防止できるアウターソックスを開発する。【解決手段】足首を除いた足の下部を取り囲むアウターソックスにおいて、前記アウターソックスの上部足が挿入される枠のうち後方及び後方と隣接した側方向一部はＡ組織（Ａ）で編織され、足が挿入される枠の前方部分はＢ組織（Ｂ）で編織され、足が挿入される枠の両側面部分はＣ組織（Ｃ）で編織され、つま先を取り囲むＥ部分（Ｅ）とＢ組織（Ｂ）との境界はＤ組織（Ｄ）で編織縫製線によって互いに連結され、つま先を取り囲む部分、足の裏、側面及び踵部分はＥ組織（Ｅ）で編織されるアウターソックスを構成する。【選択図】図１
2016035129.tif 000002
【特許請求の範囲】
【請求項１】
足首を除いた足の下部を取り囲むアウターソックスにおいて、
前記アウターソックスの上部足が挿入される枠のうち後方及び後方と隣接した側方向一部はＡ組織（Ａ）で編織され、
足が挿入される枠の前方部分はＢ組織（Ｂ）で編織され、
足が挿入される枠の両側面部分はＣ組織（Ｃ）で編織され、
つま先を取り囲むＥ部分（Ｅ）とＢ組織（Ｂ）との境界はＤ組織（Ｄ）で編織縫製線によって互いに連結され、
つま先を取り囲む部分、足の裏、側面及び踵部分はＥ組織（Ｅ）で編織されて構成されることを特徴とするアウターソックス。
【発明の詳細な説明】
【技術分野】
【０００１】
本発明は、アウターソックスに関し、より詳細には、既存のアウターソックスにおいて、靴下編織機で編織が可能であると共に、足首に固定手段がないため足から脱げ易いという問題を解決するために開発されたアウターソックスに関する。
【背景技術】
【０００２】
アウターソックスは、足袋の上に重ねて履く大きな足袋カバーに由来するが、最近は、素足または靴下の上に重ねて履くものとして、首のないものもアウターソックスと称している。
【０００３】
そのため、従来、アウターソックスは、二つの生地を密着させた後、上端を除いた枠を裁縫して製造していたが、最近は、３個以上の生地をつないで製造したもの、伸縮性のある素材の一つの生地を用いて製造したものなど、多様な種類のものが生産されて販売されている。
【０００４】
このようなアウターソックスの場合、上部開放部分に別途の固定帯がないため足から脱げ易くなったり、または、別途にゴムバンドを内蔵しなければならないという製作上の不便さがあり、ゴムバンドの場合、密着する皮膚を圧迫してしまい、着用時に不便さを感じさせることがあった。
【０００５】
また、つま先部分、足の裏、側面部、及び足を挿入する部分に互いに異なる特性を与えると、より楽で且つ機能的なアウターソックスの提供が可能になるが、ゴムバンドなどの付加的な材料を重ね当てて固定したり、切断した種類の生地をつなぎ合わせる方法しか適用されていなかった。
【先行技術文献】
【特許文献】
【０００６】
【特許文献１】大韓民国実用新案登録第２０―０１８９０３５―００００号（２０００年０５月０２日）
【特許文献２】大韓民国実用新案登録第２０―０２３６４００―００００号（２００１年０６月１９日）
【特許文献３】大韓民国実用新案登録第２０―０４０９５８４―００００号（２００６年０２月１６日）
【発明の概要】
【発明が解決しようとする課題】
【０００７】
本発明は、前記のような問題を解決するために開発されたものであって、その目的は、既存の靴下を編織する編織機を用いて製作すると共に、アウターソックスの各部位を区分して異なる方式で編織することによって、着用感を向上させ、足からの脱げを防止できるアウターソックスを開発することにある。
【課題を解決するための手段】
【０００８】
前記のような目的を達成するために、本発明は、足首を除いた足の下部を取り囲むアウターソックスにおいて、前記アウターソックスの上部足が挿入される枠のうち後方及び後方と隣接した側方向一部はＡ組織（Ａ）で編織され、足が挿入される枠の前方部分はＢ組織（Ｂ）で編織され、足が挿入される枠の両側面部分はＣ組織（Ｃ）で編織され、つま先を取り囲む部分と境界をなす部分はＤ組織（Ｄ）で編織・縫製され、つま先を取り囲む部分、足の裏、側面及び踵部分はＥ組織（Ｅ）で編織されて構成されることを特徴とする。
【発明の効果】
【０００９】
上述したように、本発明は、足が挿入される枠のうち後方及びこれと隣接した側面部分、前方部分、側面部分、及びつま先を取り囲む部分と境界をなす部分を他の部分とそれぞれ異なる方式の編織で製造することによって、全体的に伸縮性を有すると共に、足が挿入される部分はより堅固でありながらも伸縮性を有するようにし、アウターソックスが足から脱げ易くなることを防止するという効果を有する。
【図面の簡単な説明】
【００１０】
【図１】本発明の一実施例に係るアウターソックスの斜視図である。
【図２】本発明の一実施例に係るアウターソックスの平面図である。
【図３】本発明のアウターソックスにおけるＡ組織の編織構造を示した概念図である。
【図４】本発明のアウターソックスにおけるＢ組織の編織構造を示した概念図である。
【図５】本発明のアウターソックスにおけるＣ組織の編織構造を示した概念図である。
【図６】本発明のアウターソックスにおけるＤ組織の編織構造と仕上げ縫製線を示した概念図である。
【図７】本発明のアウターソックスにおけるＥ組織の編織構造を示した概念図である。
【発明を実施するための形態】
【００１１】
以下では、本発明の構成を添付の図面に基づいて当業者が容易に理解・再現できるように詳細に説明する。
【００１２】
図１は、本発明の一実施例に係るアウターソックスの斜視図で、図２は、本発明の一実施例に係るアウターソックスの平面図である。これら図面では、足首を除いた足の下部を取り囲むアウターソックスにおいて、前記アウターソックスの上部足が挿入される枠のうち後方及び後方と隣接した側方向一部はＡ組織（Ａ）で編織され、足が挿入される枠の前方部分はＢ組織（Ｂ）で編織され、足が挿入される枠の両側面部分はＣ組織（Ｃ）で編織され、つま先を取り囲む部分と境界をなす部分はＤ組織（Ｄ）で編織・縫製され、つま先を取り囲む部分、足の裏、側面及び踵部分はＥ組織（Ｅ）で編織されて構成されることを特徴とするアウターソックスを示した。
【００１３】
本願において、Ａ組織、Ｂ組織、Ｃ組織、Ｄ組織及びＥ組織は、互いに異なる方式で編織されてなり、基本的に靴下と比較すると足首部分のない靴下を編織する装置を用いて装置のセッティングを異ならせて製造できるようにする編織構造を有している。
【００１４】
以下、各組織による効果は、以下の図面の説明でより詳細に説明する。
【００１５】
図３は、本発明のアウターソックスにおけるＡ組織の編織構造を示した概念図であって、Ａ組織は、隣接した組織と編織機の製針を用いて正回転及び逆回転を繰り返しながら編織・形成される構造を有し、開始部分と終了部分が一つの編組織を形成することによって、伸縮力を低減させながら帯を形成した。
【００１６】
すなわち、踵部分は、アウターソックスの着用時に最も頻繁に擦り剥ける部分であるので、この踵部分には、厚く且つ強い感じを与えながら若干の弾性が作用できるように帯を形成し、耐久性に優れると共に、伸び難くなるため足からの脱げを防止する構造である。
【００１７】
図４は、本発明のアウターソックスにおけるＢ組織の編織構造を示した概念図であって、Ｂ組織は、一つの組織をスキップしながら編組織が交互に繰り返される構造を有し、Ｅ組織の伸縮力よりは伸縮程度を低減させ、広がりを防止できる帯構造を形成した。
【００１８】
そのため、この部分は、過度に軟らかいと伸び易くなるので、伸びを適宜防止すると共に、軟らかい足の甲の皮膚との摩擦による皮膚の損傷を防止するための部分である。
【００１９】
図５は、本発明のアウターソックスにおけるＣ組織の編織構造を示した概念図であって、Ｃ組織は、隣接した組織と編織機の製針を用いて正回転及び逆回転を繰り返しながら編織・形成され、一つの組織をスキップしながら編組織が繰り返して形成される構造を有し、Ｅ組織の伸縮力よりは伸縮程度を低減させ、広がりを防止できる帯構造を形成した。
【００２０】
図６は、本発明のアウターソックスにおけるＤ組織の編織構造を示した概念図であって、編織縫製線の組織を示したものである。Ｄ組織の編織構造は、一般的な靴下の上端枠部の仕上げ線（縫製線）であって、前記Ａ組織から始めてＣ組織及びＢ組織を編織した後、Ｄ組織を編織することによって縫製線の形成を仕上げる。
【００２１】
図７は、本発明のアウターソックスにおけるＥ組織の編織構造を示した概念図であって、Ｅ組織は、最も頻繁に使用されるものであって、柔軟で且つ伸び易い靴下に最も多く使用される組織である。
【図１】
2016035129.tif 000003
【図２】
2016035129.tif 000004
【図３】
2016035129.tif 000005
【図４】
2016035129.tif 000006
【図５】
2016035129.tif 000007
【図６】
2016035129.tif 000008
【図７】
2016035129.tif 000009